(57)【要約】【課題】  前段処理部と再量子化部を備え、それら両部に個別に作動のための電力を供給する構成のＤ／Ａ変換装置において、入力のデジタル信号が固有に持っているフォーマットに対応する電圧の電力を再量子化部に供給して、変換で得られるアナログ信号の劣化を防ぎたい。【解決手段】  制御手段８が、入力のデジタル信号に含まれているフォーマットを示すデータの制御値に基づき、電力供給手段７が再量子化部４に供給する電力の電圧を現行の入力のデジタル信号のフォーマットに対応するように制御する構成とした。【選択図】  図１
2006186591.tif 000002
【特許請求の範囲】
【請求項１】
外部からのデジタル信号を入力する入力端と、その入力端の後段に接続され、入力されて来るデジタル信号をアナログ信号に変換するために前段処理を行なう前段処理部と、その前段処理部の後段に接続され、前段処理部からのデジタル信号をアナログ信号に変換する再量子化部と、その再量子化部からのアナログ信号を出力する出力端と、前記前段処理部に電力を供給する第１の電力供給手段と、前記再量子化部に電力を供給する第２の電力供給手段と、前記入力端から入力されて来るデジタル信号を受け、前記第２の電力供給部が再量子化部に供給する電力の電圧を制御する制御手段が備えられ、
上記制御手段は、上記入力端からのデジタル信号に含まれ、そのデジタル信号のフォーマットを示すデータの制御値に基づき、第２の電力供給手段が供給する電力の電圧をその時に入力されて来るデジタル信号のフォーマットに対応するように制御される構成のＤ／Ａ変換装置。
【請求項２】
制御手段が、現行入力のデジタル信号の持つフォーマットを記憶している記憶部と、その入力のデジタル信号の持つフォーマットと前記記憶部に記憶されているフォーマットを比較し、入力のデジタル信号の持つフォーマットを認知する認知部と、その認知部で認知したフォーマットに対応する電圧の電力を第２の電力供給手段が再量子化部に供給するようにドライブ信号を出力する出力部を備えて構成された請求項１に記載のＤ／Ａ変換装置。
【発明の詳細な説明】
【技術分野】
【０００１】
この発明は、例えば音声に係る信号であるデジタル信号を入力し、アナログ信号に変換して出力するＤ／Ａ変換装置に関する。
【０００２】
特に、この発明は、入力のデジタル信号に対してＤ／Ａ変換用に前段階加工を行う前段処理部及びこの前段処理部からの信号を実質的にＤ／Ａ変換を行なう再量子化部に作動のための電力が供給されるが、前段処理部及び再量子化部への電力供給がそれぞれ個別に独立して行われる構成のＤ／Ａ変換装置に関する。
【背景技術】
【０００３】
Ｄ／Ａ変換装置は、電力の供給を受けて作用するものである。Ｄ／Ａ変換装置として、次の公報で開示された発明がある。
【特許文献１】特開平０７−０７９１６４号公報
【０００４】
例えば上記公報にはＤ／Ａ変換装置が開示されており、入力のデジタル信号を変換してアナログ信号を出力する機能のために電力が供給されることについての記載はないが、斯かる機能に電力の供給が必要であることは当業者にとって広く周知のことである。
【発明の開示】
【発明が解決しようとする課題】
【０００５】
Ｄ／Ａ変換装置は、機能上の主要な構成要件として、入力のデジタル信号に対してＤ／Ａ変換用に前段階加工を行う前段処理部及びこの前段処理部からの信号を実質的にＤ／Ａ変換を行なう再量子化部として捉えることができる。
【０００６】
ここで、前段処理部は、供給される電力の電圧が高いとその分発熱量が多くなり発熱量が過度の場合には入力のデジタル信号を検出できなくなるという問題が生じる。又、前段処理部は、供給される電力の電圧が低過ぎる場合にも入力のデジタル信号を検出できなくなるという問題が生じる。
従って、前段処理部に供給される電力の電圧は、ある一定範囲内で定常な電圧であることが求められる。
【０００７】
他方、再量子化部は、一定であるノイズ値（半導体残留雑音限界値）に対してダイナミックレンジを確保するためには供給される電圧が大きいほど半導体残留雑音限界値を相対的に小さくすることになり、より一層良好なノイズ状態が得られる。
従って、再量子化部へ供給される電力の電圧は、より一層大きくさせることが求められる。
【０００８】
そこで、入力のデジタル信号をより一層検出が確実に行われてノイズがより一層低く抑えられたアナログ信号に変換するＤ／Ａ変換装置を得るには、まず、前段処理部への電力供給と再量子化部への電力供給をそれぞれ個別に独立して行われる構成が採用されることが必要となる。
【０００９】
次に、前段処理部へ供給する電力の電圧は、上述したように、当該前段処理部が発熱を生じて入力して来るデジタル信号を処理できない程度より低く保持し、又、デジタル信号が検出できないほどの低過ぎる値にならない一定範囲であって、且つ、定常的な値に設定するとよい。
尚、この設定すべき具体的な値は、既に実験的に広く知られている。
【００１０】
一方、再量子化部へ供給する電力は、再量子化部が前段処理部からのデジタルデータを受取って再量子化の機能を行う際に、そのデジタルデータに対応してＯＮ−ＯＦＦ機能を行う素子に供給するためのものである。
従って、ここではインピーダンスも幾らか生じるが、キルヒホッフの第１法則が強く作用することから、キルヒホッフの第１法則に大きく基づき供給電力の電圧が大きければその分電流が増加することによって電流性ノイズが増加することになり、供給電力の電圧が一定以上の高さを越えるとノイズが過度な状態となって実用に供しないという問題が生じる。
【００１１】
他方、再量子化部へ供給する電力の電圧が低い場合或いは低ければ低いほど、既述したように、一定であるノイズ値（半導体残留雑音限界値）に対するダイナミックレンジが相対的に低くなってノイズが相対的に大きくなってより劣悪なノイズ状態を得ることになる。
【００１２】
しかしながら、再量子化部にとって実際には、入力されて来るデジタル信号がそれぞれ固有に付加されたフォーマットに対応した電圧の電力を供給される必要がある。
【００１３】
別言すれば、当該デジタル信号に付加されたフォーマットと対応しない電圧の電力が再量子化部に供給されて再量子化が行われると、変換されて得られるアナログ信号の電圧値が本来の値と異なった値となり、結果的に、出力端からの出力信号の大きさが本来得るべきものとは異なるものになるという問題が生じる。
【００１４】
この発明は、上記の事情に鑑みてなされたものであって、Ｄ／Ａ変換用に前段階加工を行う前段処理部及び実質的にＤ／Ａ変換を行なう再量子化部への電力供給がそれぞれ個別に独立して行われ、更に、入力のデジタル信号が変わることによってそのフォーマットが変わっても、そのフォーマットの変化に追従して対応する電圧の電力が再量子化部に供給され、結果的に、変換で得られるアナログ信号が本来得るべきものが確保でき得るＤ／Ａ変換装置の提供を目的とする。
又、斯かる内容のアナログ信号を得ることによって、アナログ信号に劣化がなく後段での増幅、減衰等の加工の必要のないＤ／Ａ変換装置の提供を目的とする。
【課題を解決するための手段】
【００１５】
本願の発明は、デジタル信号に含まれていてそのデジタル信号のフォーマットを示すデータの制御値に基づいて、再量子化部への電力供給の電圧をその時に入力されて来るデジタル信号のフォーマットに対応するように制御した構成のＤ／Ａ変換装置である。
【００１６】
その詳細な構成は、外部からのデジタル信号を入力する入力端と、その入力端の後段に接続され、入力されて来るデジタル信号をアナログ信号に変換するために前段処理を行なう前段処理部と、その前段処理部の後段に接続され、前段処理部からのデジタル信号をアナログ信号に変換する再量子化部と、その再量子化部からのアナログ信号を出力する出力端と、前記前段処理部に電力を供給する第１の電力供給手段と、前記再量子化部に電力を供給する第２の電力供給手段と、前記入力端から入力されて来るデジタル信号を受け、前記第２の電力供給部が再量子化部に供給する電力の電圧を制御する制御手段が備えられ、
上記制御手段は、上記入力端からのデジタル信号に含まれ、そのデジタル信号のフォーマットを示すデータの制御値に基づき、第２の電力供給手段が供給する電力の電圧をその時に入力されて来るデジタル信号のフォーマットに対応するように制御される構成のＤ／Ａ変換装置である。
【発明の効果】
【００１７】
この発明は、Ｄ／Ａ変換の前段階加工を行なう前段処理部及びデジタル信号をアナログ信号に実質的に変換する再量子化部にそれぞれ個別に作動のための電力を供給する構成とし、且つ、入力されるデジタル信号のフォーマットを示すデータの制御値に基づいて、再量子化部への電力供給の電圧をその時に入力されて来るデジタル信号のフォーマットに対応するように制御する構成としたことにより、前段処理部ではデジタル信号が一定電圧の供給電力で処理され、再量子化部ではデジタル信号はそのデジタル信号に付加された固有のフォーマットに対してそのフォーマットに対応する電圧の電力が供給される構成であることにより、再量子化部では再量子化出力はその時のフォーマットに適合された値として出力され、結果的に、ノイズが抑えられて出力が確保されたアナログ信号が得られるＤ／Ａ変換装置である。
【発明を実施するための最良の形態】
【００１８】
この発明を、図１及び図２に示す実施の形態例に基づき詳述する。しかし、この実施の形態例によって、この発明が限定されるものではない。
Ｄ／Ａ変換装置１は、入力端２と、前段処理部３と、再量子化部４と、出力端５と、電力供給手段６，７と、制御手段８と、操作・表示パネル９が備えられている。
【００１９】
入力端２は、外部からのデジタル信号を入力するためのものである。入力端２は具体的に、デジタル信号受信装置、デジタル式記録媒体の再生装置等の後段に位置して接続される。
【００２０】
前段処理部３は、入力端２の後段に接続され、入力されて来るデジタル信号をアナログ信号に変換するために前段処理を行なうものである。
前段処理部３は具体的に、可聴帯域内にあるノイズを可聴帯域外に移動させるオーバーサンプリング作用、信号の出力停止・切換え時に発生する筈のノイズを抑えるミュート作用、入力のデジタル信号のビット数を再量子化部４で処理可能なビット数に変換するΔ−Σ変換作用等が挙げられる。
ここで、前記Δ−Σ変換は、ノイズシェピング技術を利用して行うものものである。
【００２１】
ここで、前段処理部３は電力供給手段６から作動のための電力供給を受けるが、供給電力の電圧が高いとその分前段処理部３は発熱量が多くなり、更に発熱量が過度に多大になる場合では入力のデジタル信号を検出できなくなるという問題が生じる。
他方、前段処理部３は、供給される電力の電圧が低過ぎる場合にも入力のデジタル信号を検出できなくなるという問題が生じる。
【００２２】
従って、Ｄ／Ａ変換装置１では、電力供給手段６から前段処理部に供給される電力の電圧が、発熱量が抑えられ且つデジタル信号の検出機能が損なわれない一定範囲内で定常な値に設定されている。
【００２３】
再量子化部４は、前段処理部３の後段に接続され、電力供給手段７からの電力の供給によって作動して前段処理部３からのデジタル信号を実質的にアナログ信号に変換するものである。
つまり、電力供給手段７は、再量子化部４が前段処理部３からのデジタルデータを受取って再量子化の作動を行う際に、そのデジタルデータに対応してＯＮ−ＯＦＦ機能を行うスイッチング素子（図示省略）に電力を供給するものである。
【００２４】
ここで、入力端２から入力のデジタル信号はそれぞれ固有に付加されたフォーマットを持っていて、入力される全てのデジタル信号のフォーマットが同一とは限らない。
このことに関し、再量子化部４が入力のデジタル信号のフォーマットに合致して機能する場合には、何ら問題は生じない。
【００２５】
しかしながら、再量子化部４が入力のデジタル信号のフォーマットに対応せずに再量子化を行うと、対応するフォーマットであれば本来得られるべきアナログ信号が得られないという問題が生じることになる。
つまり、再量子化部４は、従来の技術であれば入力のデジタル信号がそのデジタル信号に対応したフォーマットで処理されていなければ、当該デジタル信号からは結果的に本来の出力レベルが得られず、後段において信号の劣化が生じていた。
尚、後段において生じる信号の劣化に対して、従来は、再量子化によって得られるアナログ信号に増幅、減衰等の加工を施すことによってその劣化を防ぐ工夫が行われていた。
【００２６】
Ｄ／Ａ変換装置１では、入力のデジタル信号のフォーマットがそのデジタル信号ごとで異なっている場合に対して、再量子化が当該デジタル信号のフォーマットに対応して行われるように、制御手段８が機能する構成になっている。
【００２７】
つまり、制御手段８は、入力して来る当該デジタル信号の持つフォーマットを記憶する記憶部（図示省略）、入力のデジタル信号の持つフォーマットと前記記憶部に記憶されているフォーマットを比較して、入力のデジタル信号の持つフォーマットを認知する認知部（図示省略）及びこの認知部で認知したフォーマットに対応する電圧の電力を電力供給手段７が再量子化部４に供給するようにドライブ信号を出力する出力部（図示省略）が備えられている。
【００２８】
制御手段８は、操作・表示パネル９からの作動信号を受けると、電力供給手段６に対して、前段処理部３に上述した一定電圧の電力を供給するようにドライブ信号を出力するものである。
【００２９】
操作・表示パネル９は、メインスイッチが備えられて装置全体の作動のＯＮ−ＯＦＦ、現行Ｄ／Ａ変換処理のモードの表示を行うものである。
【００３０】
Ｄ／Ａ変換装置１は、上述したように構成されている。以下において、Ｄ／Ａ変換装置１の機能を説明する。
まず操作者は、入力端２の前段にデジタル信号の発生装置であるＣＤ再生装置（図示省略）を接続し、出力端５の後段にフィルタ装置及びアンプ（共に図示省略）を接続する。
【００３１】
次に、操作・表示パネル９を操作して、メイン電源をＯＦＦからＯＮとして、Ｄ／Ａ変換装置１を作動させる。
ここで、入力端２からから入力したデジタル信号は、前段処理部３及び制御手段８に送られる。
【００３２】
前段処理部３は、入力端２からのデジタル信号に、アナログ信号に変換するために前段処理を行なう。つまり、前段処理部３は、可聴帯域内にあるノイズを可聴帯域外に移動させるオーバーサンプリング作用、信号の出力停止・切換え時に発生する筈のノイズを抑えるミュート作用、入力のデジタル信号のビット数を再量子化部４で処理可能なビット数に変換するΔ−Σ変換作用等を行う。
【００３３】
尚、前段処理部３のこの前段処理は、前段処理部３での発熱量が抑えられ且つデジタル信号の検出機能が損なわれない一定範囲内で定常な電圧の電力が電力供給手段６から供給
されることによって行われる。
つまり、制御手段８は、Ｄ／Ａ変換装置１の作動と共に、電力供給手段６に前記定電圧の電力を前段処理部３に供給するためのドライブ信号を送っている。
【００３４】
他方、制御手段８は、入力端２からデジタル信号を受取ると、その入力のデジタル信号のフォーマットを前記記憶部に記憶されているフォーマットを呼出し、前記認知部でフォーマットの比較を行うことによってその入力のデジタル信号のフォーマットを認知し、前記出力部はその認知したフォーマットに対応する電圧の電力を再量子化部４に供給するように電力供給手段７にドライブ信号を送る。
【００３５】
ここで、再量子化部４は、前段処理部３から前段処理されたデジタル信号を受取ると、電力供給手段７からの電力供給に基づいて前記スイッチング素子がデジタルデータにＯＮ−ＯＦＦ機能を奏して、アナログ信号に変換を行う。
この時、再量子化部４の前記スイッチング素子は現行の入力のデジタル信号のフォーマットに対応したデータの電圧（制御値）で機能しているので、変換された信号は本来得られる電圧の大きさのアナログ信号になっている。
【００３６】
又、ここで得られるアナログ信号は劣化されていないから、後段において増幅、減衰等の加工を施す必要がない。
出力端５は、再量子化部４からのアナログ信号を受取り、後段に接続されている手段、装置等に送る。
【００３７】
Ｄ／Ａ変換装置１では再量子化部４での変換して得られたアナログ信号は電圧値で示されているが、電流値で示される場合であってもよい。
【００３８】
Ｄ／Ａ変換装置１では、現行入力のデジタル信号のフォーマットが制御手段８の前記記憶部と前記認知部の共働によって特定する構成になっているが、入力されて来るデジタル信号のフォーマットを設定値との大小比較によって追込んで特定する方法であってもよい。
【図面の簡単な説明】
【００３９】
【図１】この発明の実施の形態例のＤ／Ａ変換装置の構成を説明するブロック図である。
【図２】図１に示す形態例の作動の要部を説明するフローチャート図である。
【符号の説明】
【００４０】
１            Ｄ／Ａ変換装置
２            入力端
３            前段処理部
５            再量子化部
６，７        電力供給手段
８            制御手段
９            操作・表示パネル
【図１】
2006186591.tif 000003
【図２】
2006186591.tif 000004